(57)【要約】【課題】遠隔操作装置が被操作機器である電子機器と双方向通信機能を有する場合であっても、遠隔操作装置の消費電力を抑制できる遠隔操作装置、電子機器および遠隔操作システムを提供する。【解決手段】遠隔操作装置は、電子機器に操作信号を送信する操作信号送信部と、前記操作信号を送信するための複数の操作ボタンと、前記電子機器から制御信号を受信する制御信号受信部と、前記操作ボタンの中の所定のボタンが押下されると前記電子機器から制御信号を受信可能な状態にする遠隔操作制御部とを有する。【選択図】図１
2012138853.tif 000002
【特許請求の範囲】
【請求項１】
電子機器に操作信号を送信する操作信号送信部と、
前記操作信号を送信するための複数の操作ボタンと、
前記電子機器から制御信号を受信する制御信号受信部と、
前記操作ボタンの中の所定のボタンが押下されると前記電子機器から制御信号を受信可能な状態にする遠隔操作制御部と
を有する遠隔操作装置。
【請求項２】
前記所定のボタンは、前記電子機器に設定メニューを表示させる前記操作信号を送信するメニューボタンである請求項１に記載の遠隔操作装置。
【請求項３】
前記所定のボタンは、前記制御信号受信部を休止状態から動作状態にする専用ボタンである請求項１に記載の遠隔操作装置。
【請求項４】
前記操作ボタンは、カーソルボタン、決定ボタン、戻るボタンを有し、少なくともこれらのボタンに発光装置が設けられている請求項１に記載の遠隔操作装置。
【請求項５】
前記遠隔操作制御部は、前記制御信号受信部が前記電子機器から次候補操作ボタンの発光装置を点滅または点灯させる前記制御信号を受信すると、前記制御信号に基づいて次候補操作ボタンの発光装置を点滅または点灯させる請求項１に記載の遠隔操作装置。
【請求項６】
前記遠隔操作制御部は、前記制御信号受信部が前記電子機器から受信解除信号を受信すると、前記制御信号受信部を動作状態休から休止状態にする請求項１に記載の遠隔操作装置。
【請求項７】
遠隔操作装置から操作信号を受信する操作信号受信部と、
前記遠隔操作装置に制御信号を送信する制御信号送信部と、
前記遠隔操作装置から設定メニューを表示させる前記操作信号を受信すると、前記遠隔操作装置に次候補操作ボタンの発光装置を点滅または点灯させる前記制御信号を送信する機器制御部と
を有する電子機器。
【請求項８】
前記機器制御部は、前記遠隔操作装置から設定メニューを終了させる前記操作信号を受信すると、設定メニューの表示を止め、前記遠隔操作装置に受信解除信号を送信する請求項７に記載の電子機器。
【請求項９】
電子機器と、前記電子機器を遠隔操作する遠隔操作装置とを有する遠隔操作システムであって、
前記電子機器は、前記遠隔操作装置から操作信号を受信する操作信号受信部と、前記遠隔操作装置に制御信号を送信する制御信号送信部と、前記遠隔操作装置から設定メニューを表示させる前記操作信号を受信すると、前記遠隔操作装置に次候補操作ボタンの発光装置を点滅または点灯させる前記制御信号を送信する機器制御部とを備え、
前記遠隔操作装置は、電子機器に操作信号を送信する操作信号送信部と、前記操作信号を送信するための操作ボタンと、前記電子機器から制御信号を受信する制御信号受信部と、前記操作ボタンの中の所定のボタンが押下されると前記電子機器から制御信号を受信可能な状態にする遠隔操作制御部とを備えた遠隔操作システム。
【請求項１０】
前記所定のボタンは、前記電子機器に前記設定メニューを表示させる前記操作信号を送信するメニューボタンであるか、または、前記制御信号受信部を休止状態から動作状態にする専用ボタンである請求項９に記載の遠隔操作システム。
【発明の詳細な説明】
【技術分野】
【０００１】
本発明の実施形態は、遠隔操作装置、電子機器および遠隔操作システムに関する。
【背景技術】
【０００２】
デジタルテレビやＤＶＤレコーダ等の電子機器の高性能化・多機能化に伴って、電子機器の操作が次第に複雑になってきている。また多機能に伴って、電子機器を操作するための遠隔操作装置（リモコン装置）の操作ボタンが増えてしまい操作が複雑となり、利用者は、どの操作ボタンを押下してよいかまごついてしまうという問題がある。
【０００３】
遠隔操作装置の操作性を改善するために、ある操作が行われた場合に、次の操作を誘導するガイド機能が知られている。次の操作をガイドするためには、遠隔操作装置と電子機器（被操作機器）との間において、双方向通信を行う必要がある。
【先行技術文献】
【特許文献】
【０００４】
【特許文献１】特開２００３−１４３４３５号公報
【発明の概要】
【発明が解決しようとする課題】
【０００５】
双方向通信を行うことにより、例えば、遠隔操作装置（リモコン装置）の次候補操作ボタンを発光させたりすることによって遠隔操作装置の操作の容易化が可能となるが、遠隔操作装置の消費電力の増大を招くという新たな課題が生じた。遠隔操作装置に対応する電子機器からの制御信号を受信するために、遠隔操作装置は受信の待ち受け状態を維持する必要があり、これに伴って、待ち受け時の消費電力のために遠隔操作装置のバッテリの消耗が大きいという課題が浮上してきた。
【０００６】
本発明の目的は、上記したような事情に鑑み成されたものであって、遠隔操作装置が被操作機器である電子機器と双方向通信機能を有する場合であっても、遠隔操作装置の消費電力を抑制できる遠隔操作装置、電子機器および遠隔操作システムを提供することである。
【課題を解決するための手段】
【０００７】
上記目的を達成するために、実施形態によれば、遠隔操作装置は、電子機器に操作信号を送信する操作信号送信部と、前記操作信号を送信するための複数の操作ボタンと、前記電子機器から制御信号を受信する制御信号受信部と、前記操作ボタンの中の所定のボタンが押下されると前記電子機器から制御信号を受信可能な状態にする遠隔操作制御部とを有する。
【図面の簡単な説明】
【０００８】
【図１】実施形態の構成の一例を示す斜視図。
【図２】遠隔操作装置の概観の一例を示す図。
【図３】実施形態に係る遠隔操作装置の構成を示すブロック図。
【図４】実施形態に係る電子機器の構成を示すブロック図。
【図５】電子機器の画面に表示される設定メニューウィンドウの例を示した図。
【図６】遠隔操作装置の一部のボタンが発光している様子を示した図。
【発明を実施するための形態】
【０００９】
以下実施形態について図面を参照しながら説明する。図１は、実施形態のシステム構成の一例を示す斜視図である。遠隔操作装置１は赤外線あるいはBluetooth（登録商標）等による無線通信を利用して、被操作機器である電子機器３０へ操作信号を送信する装置であり、リモコン（リモートコントローラ、remote controller）と称される場合が多い。被操作機器である電子機器３０の一例としてデジタルテレビ３１を例とした構成である。
【００１０】
デジタルテレビ３１は、筐体３２と、筐体３２を支持するスタンド３３を備えている。筐体３２は前面側に液晶パネルやＰＤＰパネル等の表示パネル３４が配置され、表示パネル３４の背面側に表示パネル３４を支持する図示しないフレームが配置されている。フレームには表示パネル３４を駆動するための図示しない回路基板や電源回路が設置されている。筐体３２の前面側と上面、底面、両側側面の一部を覆う前面カバー３５と、筐体３２の背面側と上面、底面、両側側面の一部を覆う背面カバー３６とによって外面が囲まれている。画面３７は、表示パネル３４の前面カバー３５の窓部３５ａの内側の表示部分である。
【００１１】
図２は、実施形態に係わる遠隔操作装置１の概観の一例を示す図である。遠隔操作装置１は、赤外線あるいはBluetooth等による無線通信を利用して、被操作機器である電子機器３０の操作受信部５７へ操作信号を送る。遠隔操作装置１には、複数の操作ボタン２が設置されており、利用者がこれらのボタンを押下することで電子機器３０へ操作信号が送信される。
【００１２】
電源ボタン３は、電子機器３０の電源をオンまたはオフする。詳細には電子機器３０を待機状態から動作状態、または動作状態から待機状態にするボタンである。
【００１３】
選局ボタン４は、放送のチャンネル番号を直接選択する１から１２までの番号が振られたボタンである。チャネル送りボタン５は、チャネル番号を順送りまたは逆送りで選局するボタンであり、選局ボタン３と同様にチャネルを選局するときに用いられる。音量調整ボタン６は、番組を視聴するときのスピーカの音量を調整するボタンである。
【００１４】
カーソルボタン７は表示装置４８の画面３７に表示されたＧＵＩ画面の各種の情報ウィンドウ内のカーソルの移動や各種項目の選択ボタンの移動を行うためのボタンである。カーソルボタン７は十字ボタン、方向指示ボタンとも呼ばれる。左方向カーソルボタン７ａはカーソルを左方向に移動させるときに用いるボタンである。右方向カーソルボタン７ｂ、上方向カーソルボタン７ｃ、下方向カーソルボタン７ｄはそれぞれカーソルを右方向、上方向、下方向に移動させるときに用いる。決定ボタン８は、カーソルボタン７ａ〜７ｄで移動した先の位置または画面上のボタンを実行するときに用いられる。
【００１５】
番組表ボタン９は、番組表を画面３７に表示するときに操作する専用の操作ボタンである。メニューボタン１０は、電子機器３０に用意された各種の設定メニューを表示するときに押下するボタンである。利用者は、階層表示された複数の項目の中から目的の設定項目を選択する。
【００１６】
戻るボタン１１は一つ前の操作段階の画面へ戻るときに使うボタンである。終了ボタン１２は、一連の操作を終了するときに操作するボタンである。録画番組ボタン１３は録画番組のリストを表示するためのボタンである。録画番組のリストの表示形式は複数あり、利用者が選択できる。
【００１７】
４色の色ボタン１４は、左から青ボタン１４ａ、赤ボタン１４ｂ、緑ボタン１４ｃ、黄ボタン１４ｄの順に配置されている。画面３７上に色により区別された項目や色による選択の表示があるときに使用する。記録装置操作ボタン１５は、電子機器３０の記録装置４５に記録された番組を再生する際に、再生、停止、一時停止、早送り再生、早戻し再生、次番組スキップ、先頭戻り・前番組スキップするためのボタンである。
【００１８】
受信可能ボタン１６は、遠隔操作装置１の制御信号受信部２０（図３参照）を休止状態から動作状態にして、電子機器３０からの制御信号を受信可能状態にする専用ボタンである。
【００１９】
カーソルボタン７ａ〜７ｄ、決定ボタン８、戻るボタン１１、終了ボタン１２には図示しない発光装置１７が設けられている。発光装置１７はＬＥＤ（Light Emitting Diode）等の発光素子が操作ボタンの裏側に配置されており、全体または一部が透明または半透明な材料で成型されたボタンをＬＥＤの光が透過し、ボタンが発光するように見える。発光装置１７は、利用者に対して遠隔操作装置１の次の操作をガイドするときに用いられる。
【００２０】
図３は、実施形態に係る遠隔操作装置１の構成を示すブロック図である。遠隔操作制御部１８は、一つの集積回路にコンピュータシステムをまとめた組み込み用のマイクロプロセッサであるＭＣＵ（Micro Controller Unit）を含み、ＲＯＭやＲＡＭ、Ｉ／Ｏ関連などの周辺機能を搭載しており、バス２１に接続された各機能ブロックを含めて遠隔操作装置１全体の動作を制御する。
【００２１】
遠隔操作制御部１８は、発光装置１７の発光制御部２２の機能を有する。この機能は、遠隔操作制御部１８のＭＣＵが実行するアプリケーションであり、通常は遠隔操作制御部１８内のＲＯＭに格納されており、使用時にはＭＣＵによって読み出され実行される。
【００２２】
操作信号送信部１９は、利用者によって操作ボタン２が押下されると、遠隔操作制御部１８によって制御された信号を赤外線あるいはBluetooth等による無線信号に変換して、被操作機器である電子機器３０へ送信する。
【００２３】
制御信号受信部２０は、電子機器３０から発信された赤外線あるいはBluetooth等による無線信号による制御信号２４を受信する。受信した制御信号は遠隔操作制御部１８に送られる。制御信号受信部２０は、遠隔操作制御部１８によって動作状態にされることによって受信可能な状態になり、休止状態にされることによって受信不可能な状態となる。
【００２４】
遠隔操作制御部１８は、操作ボタン２の中の所定のボタンが押下されると電子機器３０から制御信号２４を受信可能な状態にする。言い換えると制御信号受信部２０を休止状態から動作状態にして受信可能状態にする。制御信号受信部２０が受信可能な待ち受け状態を維持するとそのために電力が消費され、この消費電力のために遠隔操作装置１のバッテリの消耗が大きくなる。従って電子機器３０からの制御信号２４を受信する必要が生じたときに、制御信号受信部２０が受信可能な状態となるようにし、それ以外のときには、制御信号受信部２０は休止状態であることが望ましい。
【００２５】
所定のボタンは、例えば、電子機器３０に各種機能の設定を行うための設定メニューウィンドウを表示させる操作信号を送信する設定ボタン（メニューボタン１０）である。また、所定のボタンは、例えば、制御信号受信部２０を休止状態から動作状態（受信可能状態）にする専用ボタンであってもよい。図２において、受信可能ボタン１６は、遠隔操作装置１の制御信号受信部２０を休止状態から動作状態にして、電子機器３０からの制御信号を受信可能状態にする専用ボタンであり、このボタンが押下されると、遠隔操作制御部１８が制御信号受信部２０を動作状態にする。
【００２６】
図４は、実施形態の電子機器３０の構成を示したブロック図である。電子機器３０は、デジタル放送を受信可能であって、画面に放送番組の映像を表示するデジタルテレビ、あるいは、デジタル放送を受信可能であって、放送番組を記録し、放送番組の映像音声情報をデジタルテレビ等に出力するＤＶＤレコーダ、あるいはBlu-ray（登録商標）レコーダ等の電子機器である。
【００２７】
アンテナ４０は、放送局４１から送信された放送電波を受信するための地上デジタル放送あるいは衛星デジタル放送用のアンテナである。チューナ４２は、地上デジタル放送、衛星デジタル放送あるいはケーブルテレビ放送の放送信号の中から所望のチャンネルの放送信号を選局する。チューナ４２は、複数のチューナユニットから構成されており、同時に複数の放送を受信することができる。アンテナ端子４２ａはアンテナ４０が接続される端子である。
【００２８】
復調器４３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部４４に出力される。また、復調器４３は、ネットワーク送受信部５９を介してインターネット等のネットワーク６０から受信したＩＰ放送を復調する。
【００２９】
デコード処理部４４は、ＭＰＥＧデコーダ、映像音声デコーダ等の機能を有する。デコード処理部４４は、復調器４３から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。また、デコード処理部４４は、記録装置４５から入力された映像データ及び音声データをデコードする。
【００３０】
記録装置４５は、ＨＤＤ（Hard Disk Drive）、ＳＳＤ（Solid State Drive）あるいはＯＤＤ（Optical Disc Drive）等を含む記録手段である。記録装置４５には情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤあるいはＯＤＤに記録され、また再生される。再生データは、デコード処理部４４でデコードされる。
【００３１】
重畳処理部４６は、デコード処理部４４からの映像データと、バス５１を介して転送されるデータ放送やＧＵＩ（Graphical User Interface）制御手段５３ｂによるウィンドウ描画をプレーン管理して、映像データとの重ね合わせを行い、映像処理部４７に送る。
【００３２】
映像処理部４７は、表示装置４８で表示可能なフォーマット（画素数、フレーム周波数、走査方式）に変換したり、表示色を任意に調整したりして、表示装置４８に出力して映像を画面３７に表示させる。
【００３３】
音声処理部４９は、デコード処理部４４から伝送されたデジタルの音声データを、スピーカ５０あるいはイヤーホーンで再生可能なアナログ音声信号に変換した後、スピーカ５０あるいはイヤーホーンに出力して音声を再生させる。なお、表示装置４８やスピーカ５０は電子機器３０の外部にあってもよい。また電子機器３０と別の筐体に納められていてもよい。
【００３４】
電子機器３０は、上記した受信動作を含むその全ての動作を機器制御部５２によって統括的に制御されている。機器制御部５２はＭＰＵ（Micro Processing Unit）５３が搭載されており、バス５１介して接続された各構成要素を制御する。
【００３５】
ＲＡＭ（Random Access Memory）５４は、機器制御部５２のデータ処理に必要な各種データを格納するリードライトメモリであり、映像データ等を格納するバッファメモリとして動作する。ＲＯＭ（Read Only Memory）５５は読出し専用メモリであり、ＭＰＵ５３が実行する制御のプログラムなどを格納している。
【００３６】
フラッシュメモリ５６は、書き換え可能であり、電源を切ってもデータが消えない不揮発性の半導体メモリである。フラッシュメモリ５６は、視聴履歴情報、録画番組情報、録画予約情報等を記憶する機能を有する。
【００３７】
操作信号受信部５７は、遠隔操作装置１から送信される操作信号２３を受信し、機器制御部５２に転送する。制御信号送信部５８は、遠隔操作装置１に制御信号２４を送信する。制御信号送信部５８は、利用者に遠隔操作装置１の次の操作をガイドするために、遠隔操作装置１に次候補操作ボタンの発光装置１７を点滅または点灯させる制御信号２４を送信する。
【００３８】
電子機器３０は、ネットワーク送受信部５９を介してインターネット等のネットワーク６０に接続されている。これにより、電子機器３０は、ネットワーク６０上にあるサーバ６１等の機器とネットワーク送受信部５９を介して情報伝送を行なうことができる。ネットワーク端子５９ａはネットワーク６０が接続される端子である。
【００３９】
図４において、機器制御部５２は、記録管理手段５３ａ、ＧＵＩ制御手段５３ｂの機能を有する。これらの機能は、機器制御部５２のＭＰＵ５３が実行するアプリケーションであり、通常はＲＯＭ５５に格納されており、使用時にはＭＰＵ５３によって読み出され実行される。
【００４０】
記録管理手段５３ａは、利用者の要求に基づいて設定された放送番組の予約情報を管理する。また、記録管理手段５３ａは、予約された番組の記録処理、また視聴中の番組の記録処理を行う。さらに、記録管理手段５３ａは、記録装置４５に記録された番組を管理する。記録された番組の番組情報（放送局名、放送日時、番組名、放送概要、出演者、番組詳細、番組分類等）、記録時間、録画番組が再生済みか未再生かの区別等を、フラッシュメモリ５６、または記録装置４５に記録し、録画番組の情報を管理する。記録管理手段５３ａは、録画番組リストの生成、録画番組の再生や削除、編集等の処理を実行する。
【００４１】
ＧＵＩ制御手段５３ｂは、ＧＵＩ（Graphical User Interface）データを生成し、この生成されたＧＵＩデータはバス５１を介して重畳処理部４６へ送信される。重畳処理部４６に送付されたＧＵＩデータは、例えば放送番組の映像データに重畳処理されたり、あるいはＧＵＩ単独画面として処理され、映像処理部４７へ伝送される。
【００４２】
図５は、電子機器３０の画面３７に表示される設定メニューウィンドウ６２の例を示した図である。利用者が遠隔操作装置１のメニューボタン１０を押下すると、設定メニューを表示する操作信号が遠隔操作装置１の操作信号送信部１９から発信される。この操作信号が電子機器３０の操作信号受信部５７で受信され、機器制御部５２へ送信される。機器制御部５２は、ＧＵＩ制御手段５３ｂによって設定メニューウィンドウ６２のデータを生成し、重畳処理部４６、映像処理部４７を介して画面３７に設定メニューを表示させる。
【００４３】
設定メニューウィンドウ６２は、電子機器３０に用意された各種の設定メニューを表示するときに表示されるＧＵＩ画面である。利用者は、設定メニューウィンドウ６２を見ながら複数の項目の中から目的の設定項目を選択し、さらに階層表示された複数の項目の中から目的の設定項目を選択する。
【００４４】
目的の項目を選択する場合には、利用者は遠隔操作装置１のカーソルボタン７ａ〜７ｄを操作して選択し、決定ボタン８を押下する。また、１段階前の設定項目に戻る場合や設定をやり直す場合には戻るボタン１１を押下する。設定を終了する場合には、画面上の終了ボタンを選択して決定ボタン８を押下するか、または、遠隔操作装置１の終了ボタン１２を押下する。
【００４５】
図５において、設定メニューウィンドウ６２には、映像設定、音声設定、画面サイズ切換、３Ｄ表示モード切替、操作・表示設定、再生機能設定、録画機能設定の各項目が表示されている。通常、設定メニューが表示されたとき、最も上段に表示された項目（この場合には映像設定）が、アクティブ状態またはハイライトされた状態となっている。利用者がカーソルボタン７ｄを１回押下すると、アクティブ状態またはハイライトされた項目は、１段下の音声設定に移動する。そこで決定ボタン８を押下すると、音声設定の詳細な設定メニューウィンドウに切り換わる。
【００４６】
図６は、遠隔操作装置１のボタン２の内の一部のボタンが発光している様子を示した図である。利用者が遠隔操作装置１のメニューボタン１０を押下すると、遠隔操作装置１は、電子機器３０から制御信号２４を受信可能な状態にする。メニューボタン１０を押下する以前は、制御信号受信部２０は休止状態となっていて、消費電力を抑制する状態となっている。メニューボタン１０が押下されると、遠隔操作制御部１８が制御信号受信部２０を休止状態から動作状態にして受信可能状態にする。
【００４７】
メニューボタン１０が押下されると、電子機器３０は、画面３７に設定メニューウィンドウ６２を表示し、制御信号送信部５８は、遠隔操作装置１に制御信号２４を送信する。制御信号送信部５８は、利用者に遠隔操作装置１の次の操作をガイドするために、遠隔操作装置１に次候補操作ボタンの発光装置１７を点滅または点灯させる制御信号２４を送信する。
【００４８】
遠隔操作装置１は、電子機器３０から制御信号２４を受信すると、制御信号２４に従って一部の操作ボタンの発光装置１７を点滅または点灯（連続点灯）させる。発光するボタンは設定メニューウィンドウ６２で使用する次候補操作ボタンが発光する。図６に示したように、上方向カーソルボタン７ｃ、下方向カーソルボタン７ｄ、決定ボタン８、戻るボタン１１が点滅または点灯する。遠隔操作装置１の操作可能キーが点滅または点灯することにより、視覚的に判りやすく利用者の操作の補助を行うことができる。
【００４９】
設定メニューウィンドウ６２において、左方向カーソルボタン７ａ、右方向カーソルボタン７ｂが含まれるような画面の場合には、左方向カーソルボタン７ａ、右方向カーソルボタン７ｂが点滅または点灯する。左方向カーソルボタン７ａ、右方向カーソルボタン７ｂ、上方向カーソルボタン７ｃ、下方向カーソルボタン７ｄが４個とも点滅または点灯する場合もあり得る。
【００５０】
設定メニューウィンドウ６２において、設定を終了する場合には、画面上に表示された終了ボタンを選択して決定ボタン８を押下するか、または、遠隔操作装置１の終了ボタン１２を押下する。設定が終了すると、電子機器３０は、画面３７の設定メニューウィンドウ６２を消去し、遠隔操作装置１に、制御信号受信部２０を動作状態から休止状態にして受信不可状態にする制御信号２４を送信する。
【００５１】
制御信号受信部２０を動作状態から休止状態にして受信不可状態になることによって、受信待ち受け状態が解除され、消費電力が抑制される。これによって遠隔操作装置１のバッテリの消耗を小さくすることができる。
【００５２】
以上のように、利用者にとって遠隔操作装置１の操作が複雑となる設定メニューが表示されたときに遠隔操作装置１と電子機器３０の双方向通信機能を有効とし、設定メニューが表示されていないときは遠隔操作装置１の受信機能を休止状態として、遠隔操作装置１の消費電力を節約すると共に、設定メニューが表示されたときに次候補操作ボタンの発光装置を点滅または点灯させることにより、視覚的に判りやすく利用者の操作の補助を行うことができる。従って、双方向通信機能を有し遠隔操作装置１の次候補操作ボタンの照光等によって次の操作をガイドする機能を有する遠隔操作装置であっても遠隔操作装置１の消費電力の少ない遠隔操作システム、遠隔操作装置および電子機器を提供することができる。
【００５３】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００５４】
１  遠隔操作装置
２  操作ボタン
７  カーソルボタン
７ａ  左方向カーソルボタン
７ｂ  右方向カーソルボタン
７ｃ  上方向カーソルボタン
７ｄ  下方向カーソルボタン
８  決定ボタン
１０  メニューボタン
１１  戻るボタン
１２  終了ボタン
１６  受信可能ボタン
１７  発光装置
１８  遠隔操作制御部
１９  操作信号送信部
２０  制御信号受信部
２２  発光制御部
２３  操作信号
２４  制御信号
３０  電子機器
３１  デジタルテレビ
３７  画面
５２  機器制御部
５３  ＭＰＵ
５７  操作信号受信部
５８  制御信号送信部
６２  設定メニューウィンドウ
【図１】
2012138853.tif 000003
【図２】
2012138853.tif 000004
【図３】
2012138853.tif 000005
【図４】
2012138853.tif 000006
【図５】
2012138853.tif 000007
【図６】
2012138853.tif 000008